(57)【特許請求の範囲】
【請求項１】
記録媒体上に形成された記録トラックにビデオデータの記録領域とは別個にイメージ情報記録領域を設け、該イメージ情報記録領域にスーパーインポーズ用のイメージ情報を記録するデジタルビデオ装置であって、
上記記録トラックに上記ビデオデータおよび上記イメージ情報を記録する記録ヘッドと、
上記記録トラックより上記ビデオデータおよび上記イメージ情報を再生する、上記記録ヘッドに対して時間的に先行して上記記録トラックを走査する再生ヘッドとを備え、
上記再生ヘッドの上記記録ヘッドに対する先行量が、記録および再生の回路系の信号遅延量に関連して設定されている
ことを特徴とするデジタルビデオ装置。
【請求項２】
上記再生ヘッドで再生された上記ビデオデータに、上記再生ヘッドで再生された上記イメージ情報によるイメージ表示データを重畳するデータ重畳手段と、
上記データ重畳手段で上記ビデオデータに上記イメージ表示データを重畳するか否かを選択する重畳制御手段とをさらに備える
ことを特徴とする請求項１に記載のデジタルビデオ装置。
【発明の詳細な説明】
【０００１】
【産業上の利用分野】
この発明は、例えばテープ状記録媒体、ディスク状記録媒体等にビデオデータをスーパーインポーズ用のイメージ情報と共に記録し得るデジタルビデオ装置に関する。
【０００２】
【従来の技術】
図５は、従来のビデオシステムの一例を示している。図において、１はビデオテープレコーダ（ＶＴＲ）であり、このＶＴＲ１の出力ビデオ信号は文字信号発生器２を通じてＶＴＲ３で記録される。文字信号発生器２は文字情報発生器４およびミキサ５で構成され、ミキサ５ではＶＴＲ１の出力ビデオ信号に文字情報発生器４からの文字情報がスーパーインポーズ情報として重畳される。
【０００３】
【発明が解決しようとする課題】
図５の例のビデオシステムでは、ＶＴＲ１の出力ビデオ信号に文字情報発生器４からの文字情報が重畳されてＶＴＲ３で記録されるものであり、以下のような問題点があった。すなわち、ビデオ信号（取材ソフト）に文字情報が重畳されてしまうため、あとになって他の番組等の素材として利用できない場合がある。また、ビデオ信号に文字情報が重畳されて記録されるものであり、ビデオ信号の再記録（編集）が行われるため、画質劣化を生じる。さらに、ビデオ信号に文字情報が重畳されてしまうため、文字の変更が必要になった場合にその変更が容易でない。
【０００４】
そこで、この発明では、文字情報等のためにビデオ信号を他の番組等の素材として利用できなくなることを回避でき、またビデオ信号の再記録による画質劣化を防止でき、さらに文字情報等の変更が容易となるデジタルビデオ装置を提供するものである。
【０００５】
【課題を解決するための手段】
請求項１の発明に係るデジタルビデオ装置は、記録媒体上に形成された記録トラックにビデオデータの記録領域とは別個にイメージ情報記録領域を設け、このイメージ情報記録領域にスーパーインポーズ用のイメージ情報を記録するデジタルビデオ装置であって、記録トラックにビデオデータおよびイメージ情報を記録する記録ヘッドと、記録トラックよりビデオデータおよびイメージ情報を再生する、記録ヘッドに対して時間的に先行して記録トラックを走査する再生ヘッドとを備え、再生ヘッドの記録ヘッドに対する先行量が、記録および再生の回路系の信号遅延量に関連して設定されているものである。
【０００７】
請求項２の発明に係るデジタルビデオ装置は、請求項１の発明において、再生ヘッドで再生されたビデオデータに、再生ヘッドで再生されたイメージ情報によるイメージ表示データを重畳するデータ重畳手段と、このデータ重畳手段でビデオデータにイメージ表示データを重畳するか否かを選択する重畳制御手段とをさらに備えるものである。
【０００８】
【作用】
請求項１の発明においては、記録媒体上に形成された記録トラックにビデオデータの記録領域とは別個に設けられたイメージ情報記録領域に文字や図形等のスーパーインポーズ用のイメージ情報が記録されるものである。そのため、イメージ情報が記録されてもビデオデータには何等影響を与えることがなく、文字や図形等のイメージ情報のためにビデオ信号を他の番組等の素材として利用できなくなる等ということを回避し得る。また、ビデオデータはそのままで、イメージ情報のみの追加記録や変更記録を行うことができるため、ビデオ信号の再記録（編集）による画質劣化を防止でき、また文字や図形等のスーパーインポーズ用のイメージ情報の変更を容易に行い得る。
【０００９】
また、記録ヘッドに対して時間的に先行して記録トラックを走査する再生ヘッドを備え、再生ヘッドの記録ヘッドに対する先行量を記録および再生系の回路系の信号遅延量に関連して設定するものであり、再生ヘッドで再生されるビデオデータによる再生画像に記録すべきイメージ情報による文字や図形等をスーパーインポーズした画像を確認しながら、記録ヘッドによってそのビデオデータの記録領域に対応したイメージ情報記録領域にイメージ情報を記録することが可能となる。
【００１０】
請求項２の発明においては、データ重畳制御手段による選択に基づいてビデオデータにイメージ表示データを重畳させることができ、選択的に再生画像に文字や図形等をスーパーインポーズすることが可能となる。
【００１１】
【実施例】
以下、図面を参照しながら、この発明の一実施例について説明する。本例はＶＴＲに適用した例である。図２は回転ヘッド装置１０を示している。図において、１１は回転上ドラム、１２は固定下ドラムである。上ドラム１１には、記録磁気ヘッドＨＲ、再生磁気ヘッドＨＰおよび回転消去ヘッド（フライングイレースヘッド）ＨＥ  が配設されている。下ドラム１２の周面には、磁気テープ１３を沿わせるためのリード（段差部）１４が形成されている。なお、矢印ａはテープ走行方向を示しており、矢印ｂはドラム回転方向を示している。
【００１２】
図３は記録トラックパターンを示しており、Ｔはテープ上に形成された傾斜記録トラックである。各記録トラックＴにはビデオデータが記録されるビデオデータ記録領域ＡＶと文字や図形等のスーパーインポーズ用のイメージ情報が記録されるイメージ情報記録領域ＡＩとが別個に設けられる。
【００１３】
上述した再生磁気ヘッドＨＰおよび回転消去ヘッドＨＥは、それぞれ記録磁気ヘッドＨＲに先行してテープ上の記録トラックＴを走査するようにされている。この場合、再生磁気ヘッドＨＰの先行量は、後述する記録および再生の回路系の信号遅延量に関連して設定される。すなわち、再生磁気ヘッドＨＰで再生されるビデオデータによる再生画像に記録すべきイメージ情報による文字や図形等をスーパーインポーズした画像を確認しながら、記録磁気ヘッドＨＲによってそのビデオデータの記録領域ＡＶに対応したイメージ情報記録領域ＡＩに記録すべきイメージ情報を記録できるように、再生磁気ヘッドＨＰの先行量が設定される。
【００１４】
図１は、本例の記録系および再生系の構成を示している。まず、記録系２０について説明する。入力端子２１に供給されるビデオ信号ＳＶはＡ／Ｄ変換器２２でデジタル信号に変換された後にミキサ２３を介して誤り訂正エンコーダ２４に供給される。ミキサ２３には記録磁気ヘッドＨＲが記録トラックＴのイメージ情報記録領域ＡＩ（図３参照）を走査するタイミングを示すタイミングパルスＴＰが供給される。このタイミングパルスＴＰは、例えば記録磁気ヘッドＨＲの回転位相を示すパルス発生器の出力に基づいて形成される。ミキサ２３では、タイミングパルスＴＰに基づいて文字や図形等のスーパーインポーズ情報としてのイメージ情報ＩＭＤがＡ／Ｄ変換器２２からのビデオデータに時分割多重される。
【００１５】
誤り訂正エンコーダ２４では、時分割多重されて供給されるビデオデータおよびイメージ情報ＩＭＤのそれぞれに誤り訂正符号が付加される。なお、誤り訂正符号を付加するに際してシャフリング処理を行って、符号誤りの影響を分散させ、訂正能力を向上させたり、訂正されなかった符号誤りによる画質劣化を軽減することもできる。
【００１６】
誤り訂正エンコーダ２４で誤り訂正符号が付加されたビデオデータおよびイメージ情報ＩＭＤはチャネルエンコーダ２５で磁気記録再生に適した形式に変調処理された後に記録アンプ２６を介して磁気ヘッドＨＲに供給される。これにより、記録トラックＴのビデオデータ記録領域ＡＶにビデオデータが記録されると共に、イメージ情報記録領域ＡＩにイメージ情報ＩＭＤが記録される。なお、入力端子２１にビデオ信号ＳＶが供給されない場合には、記録トラックＴのイメージ情報記録領域ＡＩにイメージ情報ＩＭＤのみが記録されることとなり、イメージ情報ＩＭＤのみの追加記録、変更記録を容易に行うことができる。
【００１７】
次に、再生系３０について説明する。図において、磁気テープ１３の記録トラックＴのビデオデータ記録領域ＡＶおよびイメージ情報記録領域ＡＩより再生磁気ヘッドＨＰで再生される信号は再生アンプ３１で増幅された後にチャネルデコーダ３１で復調処理された後に誤り訂正デコーダ３３に供給される。誤り訂正デコーダ３３では、付加されている誤り訂正符号を用いて符号誤りの訂正処理が行われる。また、記録系でシャフリング処理が行われている場合には、それに対応してデシャフリング処理も行われる。
【００１８】
誤り訂正デコーダ３３より出力される誤り訂正処理されたビデオデータおよびイメージ情報ＩＭＤはミキサ３４を介してＤ／Ａ変換器３５でアナログ信号に変換されて出力端子３６にビデオ信号ＳＶｏｕｔとして導出される。なお、ビデオテープ１３の記録トラックＴのイメージ情報記録領域ＡＩにイメージ情報ＩＭＤが記録されていない場合、ビデオ信号ＳＶｏｕｔにはイメージ情報信号は含まれないことになる。
【００１９】
出力端子３６に得られるビデオ信号ＳＶｏｕｔは例えばモニタＴＶ３７に供給され、このモニタＴＶ３７の画面に再生画像が表示される。この場合、ビデオ信号ＳＶｏｕｔにイメージ情報信号が含まれるときは、そのイメージ情報信号による文字や図形等のイメージ表示信号がビデオ信号に重畳され、再生画像に文字や図形等がスーパーインポーズされて表示される。
【００２０】
また、ミキサ３４にはイメージ情報の追加記録または変更記録時に、上述したように記録系のミキサ２３に供給されるイメージ情報ＩＭＤと同じイメージ情報ＩＭＤが供給され、上述した記録系２０のミキサと同様に、ミキサ３４からはビデオデータとイメージデータＩＭＤとの時分割多重データが出力される。そのため、モニタＴＶ３７の画面には、記録領域ＡＶより再生されたビデオデータに基づく再生画像に、記録すべきイメージ情報ＩＭＤによる文字や図形等がスーパーインポーズされて表示される。
【００２１】
上述したように再生磁気ヘッドＨＰの先行量は、再生磁気ヘッドＨＰで再生されるビデオデータによる再生画像に記録すべきイメージ情報ＩＭＤによる文字や図形等をスーパーインポーズした画像を確認しながら記録磁気ヘッドＨＲによってそのビデオデータの記録領域ＡＶに対応したイメージ情報記録領域ＡＩにイメージ情報ＩＭＤを記録できるように設定されており、モニタＴＶ３７によってスーパーインポーズ画像を確認しながら、記録磁気ヘッドＨＲによって記録トラックＴのイメージ情報記録領域ＡＩにイメージ情報ＩＭＤを追加記録または変更記録を行うことができる。
【００２２】
なお、図１に破線図示するように、ミキサ３４の出力側と誤り訂正エンコーダ２４の入力側を接続することで、ミキサ３４からのビデオデータとイメージ情報ＩＭＤとの時分割データを誤り訂正エンコーダ２４に供給し、記録トラックＴのビデオデータ記録領域ＡＶにビデオデータを記録できると共に、そのイメージ情報記録領域ＡＩにイメージ情報ＩＭＤを記録することができる。これにより、いわゆるプリリード編集によるイメージ情報ＩＭＤの書き換えを行うことができる。その場合、記録系２０にミキサ２３は不要となる。
【００２３】
ところで、ビデオデータが圧縮符号化されて記録再生される場合、例えば図１の例のミキサ２３の前段に圧縮符号化回路が配されると共に、ミキサ３４の後段に圧縮復号化回路が配されるが、上述したプリリード編集を行う場合に圧縮符号化回路、圧縮復号化回路を通さないようにすることで、ビデオ信号の信号劣化を防止できる。
【００２４】
次に、図４は出力ビデオ信号ＳＶｏｕｔとしてビデオ信号に文字や図形等のイメージ表示信号が重畳されたものが選択的に出力されるようにした例である。図において、磁気テープ１３の記録トラックＴのビデオデータ記録領域ＡＶおよびイメージ情報記録領域ＡＩより再生磁気ヘッドＨＰで再生される信号は再生アンプ４１で増幅された後にチャネルデコーダ４２で復調された後に誤り訂正デコーダ４３に供給される。誤り訂正デコーダ４３では、付加されている誤り訂正符号を用いて符号誤りの訂正処理が行われる。また、記録系でシャフリング処理が行われている場合には、それに対応してデシャフリング処理も行われる。
【００２５】
誤り訂正デコーダ４３より出力される誤り訂正処理されたビデオデータおよびイメージ情報ＩＭＤはミキサ４４に供給されると共にデータ抽出回路４５に供給される。データ抽出回路４５には、選択手段（図示せず）によってビデオ信号に文字や図形等のイメージ表示信号を重畳することが選択される場合には、誤り訂正デコーダ４３からのイメージ情報ＩＭＤの出力タイミングを示すタイミングパルスＴＰＩが供給される。データ抽出回路４５ではタイミングパルスＴＰＩに基づいてイメージ情報ＩＭＤが抽出されると共に、このイメージ情報ＩＭＤに対応したイメージ表示データが発生される。
【００２６】
データ抽出回路４５で発生されるイメージ表示データはミキサ４４に供給される。ミキサ４４ではビデオデータにイメージ表示データが重畳される。ミキサ４４の出力信号はＤ／Ａ変換器４６でアナログ信号に変換された後に出力端子４７に導出される。したがって、選択手段によってビデオ信号に文字や図形等のイメージ表示信号を重畳することが選択され、かつ磁気テープ１３の記録トラックＴのイメージ情報記録領域ＡＩにイメージ情報ＩＭＤが記録されている場合、出力端子４７にはビデオ信号に文字や図形等のイメージ表示信号が重畳されたビデオ信号ＳＶｏｕｔが得られることとなる。
【００２７】
選択手段によってビデオ信号に文字や図形等のイメージ表示信号を重畳することが選択されていない場合、データ抽出回路４５にタイミングパルスＴＰＩが供給されないため、記録トラックＴのイメージ情報記録領域ＡＩにイメージ情報ＩＭＤが記録されていてもビデオ信号ＳＶｏｕｔはイメージ表示信号が重畳されていないビデオ信号となる。
【００２８】
図４の例においては、ミキサ４４でビデオデータにイメージ表示データを重畳するものであるが、データ抽出回路４５からのイメージ表示データを外部に導出し、外部に配されたミキサでもってビデオ信号にイメージ表示信号を重畳するように構成することもできる。
【００２９】
なお、上述実施例においては、磁気テープ１３の各記録トラックＴがビデオデータ記録領域ＡＶとイメージ情報記録領域ＡＩとの２つに分割されているものを示したが、イメージ情報記録領域ＡＩがビデオデータ記録領域ＡＶの複数箇所に分散して設けるようにしてもよい。要は、ビデオデータとイメージ情報ＩＭＤとが別個に記録再生できればよい。また、上述実施例はＶＴＲに適用したものであるが、磁気テープの他のテープ状記録媒体、あるいはディスク状記録媒体等を使用するものにも同様に適用できることは勿論である。
【００３０】
【発明の効果】
請求項１の発明によれば、記録媒体上に形成された記録トラックにビデオデータの記録領域とは別個に設けられたイメージ情報記録領域に文字や図形等のスーパーインポーズ用のイメージ情報が記録されるものであるため、イメージ情報が記録されてもビデオデータには何等影響を与えることがなく、文字や図形等のイメージ情報のためにビデオ信号を他の番組等の素材として利用できなくなる等ということを回避できる。また、ビデオデータはそのままで、イメージ情報のみの追加記録や変更記録を行うことができるため、ビデオ信号の再記録（編集）による画質劣化を防止でき、また文字や図形等のスーパーインポーズ用のイメージ情報の変更を容易に行うことができる。
【００３１】
また、記録ヘッドに対して時間的に先行して記録トラックを走査する再生ヘッドを備え、再生ヘッドの記録ヘッドに対する先行量を記録および再生系の回路系の信号遅延量に関連して設定するものであり、再生ヘッドで再生されるビデオデータによる再生画像に記録すべきイメージ情報による文字や図形等をスーパーインポーズした画像を確認しながら、記録ヘッドによってそのビデオデータの記録領域に対応したイメージ情報記録領域にイメージ情報を記録することができる。
【００３２】
請求項２の発明によれば、データ重畳制御手段による選択に基づいてビデオデータにイメージ表示データを重畳させることができ、選択的に再生画像に文字や図形等をスーパーインポーズすることができる。
【図面の簡単な説明】
【図１】この発明の一実施例を示す構成図である。
【図２】回転ヘッド装置の構成を示す図である。
【図３】記録トラックパターンを示す図である。
【図４】この発明の他の実施例を示す構成図である。
【図５】従来のビデオシステムの構成例を示す図である。
【符号の説明】
１０  回転ヘッド装置
１１  回転上ドラム
１２  固定下ドラム
１３  磁気テープ
２０  記録系
２１  入力端子
２２  Ａ／Ｄ変換器
２３，３４，４４  ミキサ
２４  誤り訂正エンコーダ
２５  チャネルエンコーダ
３０  再生系
３２，４２  チャネルデコーダ
３３，４３  誤り訂正デコーダ
３５，４６  Ｄ／Ａ変換器
３６，４７  出力端子
３７  モニタＴＶ
４５  データ抽出回路
【図１】
0003613814.tif 000002
【図２】
0003613814.tif 000003
【図３】
0003613814.tif 000004
【図４】
0003613814.tif 000005
【図５】
0003613814.tif 000006